(57)【要約】【課題】天板が芯材よりも外側に突出している場合でも、意匠性を向上させつつ芯材が天板を確実に支持することができる天板構造を提供する。【解決手段】天板３と、天板３の下側に設けられた芯材４と、芯材４の端面に沿って設けられた桟材５と、を有する天板構造１Ａにおいて、天板３は、芯材４の前端面（端面）４ａよりも外側に突出し桟材５の上に載置される突出部３１を有し、桟材５は、突出部３１の前端部（先端部）３１ｂまで延びているとともに、芯材４よりも下側に延びている。【選択図】図２
2018171281.tif 000002
【特許請求の範囲】
【請求項１】
天板と、
前記天板の下側に設けられた芯材と、
前記芯材の端面に沿って設けられた桟材と、を有する天板構造において、
前記天板は、前記芯材の端面よりも外側に突出し、前記桟材の上に載置される突出部を有し、
前記桟材は、前記突出部の先端部まで延びているとともに、前記芯材よりも下側に延びていることを特徴とする天板構造。
【請求項２】
前記桟材は、前記芯材の端面近傍に下側から当接する当接部を有している請求項１に記載の天板構造。
【請求項３】
前記桟材は、前記芯材と離間する側の端部に下側に突出する水返し部を有している請求項１又は２に記載の天板構造。
【発明の詳細な説明】
【技術分野】
【０００１】
本発明は、天板構造に関する。
【背景技術】
【０００２】
キッチン台や洗面台などの天板に、板状の人造大理石やセラミック、天然石などが使用される場合、天板の下側に芯材を設けて芯材で天板を支持する天板構造が知られている（例えば、特許文献１乃至３参照）。
このような天板構造では、意匠性を向上させるために薄型の天板を使用する場合でも、芯材によって天板が支持されるため、所定の強度を確保することができる。
また、このような天板構造では、芯材の端面が露出しないようにするために、芯材の端面に桟材を取り付けたり、芯材の端面および天板の端部の両方にわたって桟材を取り付けたりすることがある。
【先行技術文献】
【特許文献】
【０００３】
【特許文献１】実開平７−１３２３７号公報
【特許文献２】特開２００６−６５５４号公報
【特許文献３】特開２００９−２８７１７６号公報
【発明の概要】
【発明が解決しようとする課題】
【０００４】
ところで、芯材の端面に桟材を取り付ける場合、天板を芯材よりも外側に突出するように桟材の上に配置することがある。このようにすると、天板における芯材よりも外側に突出した部分（突出部）は芯材に支持されていないことになる。
このため、天板が芯材よりも外側に突出している場合でも、意匠性を向上させつつ芯材が天板を確実に支持することができる天板構造が望まれている。
【０００５】
そこで本発明は、意匠性を向上させつつ芯材が天板を確実に支持することができる天板構造を提供することを目的とする。
【課題を解決するための手段】
【０００６】
上記目的を達成するため、本発明に係る天板構造は、天板と、前記天板の下側に設けられた芯材と、前記芯材の端面に沿って設けられた桟材と、を有する天板構造において、前記天板は、前記芯材の端面よりも外側に突出し、前記桟材の上に載置される突出部を有し、前記桟材は、前記突出部の先端部まで延びているとともに、前記芯材よりも下側に延びていることを特徴とする。
【０００７】
本発明では、桟材が突出部の先端部まで延びることにより、桟材が天板の突出部全体を下側から確実に支持することができる。また、桟材が芯材よりも下側に延びていることにより、桟材を芯材に対して確実に取り付けることができる。これにより、桟材が天板の突出部から受けた荷重を芯材に伝達することができるため、天板の突出部も桟材を介して芯材が確実に支持することができる。
また、桟材は、天板の突出部の先端部まで延びることにより、天板の突出部の下面を隠すことができる。また、桟材は、芯材よりも下側に延びていることにより、芯材を確実に隠すことができる。このように桟材が芯材および天板の突出部の下面の露出を防止するため、意匠性を向上させることができる。
【０００８】
また、本発明に係る天板構造では、前記桟材は、前記芯材の端面近傍に下側から当接する当接部を有していてもよい。
このような構成とすることにより、桟材と芯材とを確実に固定することができ、桟材が受けた天板の荷重を確実に芯材に伝達することができる。また、桟材が芯材と芯材の下側に設けられた部材との境界部を塞ぐことができるため、意匠性を向上させることができる。
【０００９】
また、本発明に係る天板構造では、前記桟材は、前記芯材と離間する側の端部に下側に突出する水返し部を有していてもよい。
このような構成とすることにより、桟材に水滴が付いた場合に、その水滴が水返し部に付着または水返し部から下側に落下するため、桟材よりも内側に水滴が浸入することを防止できる。
【発明の効果】
【００１０】
本発明によれば、意匠性を向上させつつ芯材が天板を確実に支持することができる。
【図面の簡単な説明】
【００１１】
【図１】本発明の第１実施形態に係る天板構造が設けられたキッチン台の一例を示す部分斜視図である。
【図２】図１の幅方向から見た側面図である。
【図３】本発明の第２実施形態に係る天板構造を示す図である。
【図４】本発明の第３実施形態に係る天板構造を示す図である。
【図５】キッチン台の側部の他の形態を示す図である。
【図６】キッチン台の側部の更に他の形態を示す図である。
【図７】本発明の実施形態の天板構造の変形例と示す図である。
【発明を実施するための形態】
【００１２】
（第１実施形態）
以下、本発明の実施形態による天板構造１について、図１および図２に基づいて説明する。
図１に示すように、第１実施形態による天板構造１Ａは、キッチン台１１に設けられた天板部２に採用されている。
本実施形態によるキッチン台１１は、箱型のキャビネット１２と、キャビネット１２の上部に設けられた天板部２と、を有している。キッチン台１１に対して、キッチン台１１を使用する使用者と対向する水平方向を前後方向とし、前後方向に直交する水平方向を幅方向とする。前後方向のうちのキッチン台１１に対する使用者側を前側とし、その反対側を後側とする。
【００１３】
キャビネット１２は、前側に開口する空部が形成され収容物を収容可能な収容部１２１と、収容部１２１の前側に配置され、収容部１２１を開閉する扉１２２と、を有している。収容部１２１の前側には、扉１２２に代わって幕板が設けられていてもよい。
本実施形態では、キッチン台１１の幅方向の両側にキッチン台１１の幅方向の端部１１ａを覆おう壁部（不図示）が設けられていて、キッチン台１１の幅方向の端部１１ａが露出していないものとする。
【００１４】
天板部２は、上面が作業面となる天板３と、天板３の下側に設けられて天板３を補強する芯材４と、芯材４の前端面４ａに沿って設けられた桟材５と、を有している。
天板３は、板面が長尺の略長方形となる平板状に形成され、板面が水平面となり、長手方向が幅方向となる向きに配置されている。天板３は、例えばセラミックなどで約６ｍｍの厚さに形成されている。天板３の前端部は、キャビネット１２の収容部１２１を閉鎖している状態の扉１２２の前面１２２ａよりも前側に配置されている。
天板３の上部には、シンクや水栓、コンロなどが適宜設けられている。また、天板３の後端部には、上側に立ち上がるバックガード３２が適宜設けられている。
【００１５】
芯材４は、板面が長尺の略長方形となる平板状に形成され、板面が水平面となり、長手方向が幅方向となる向きに配置されている。芯材４は、例えば木材などで約１５ｍｍの厚さに形成されている。芯材４の前端面４ａは、キャビネット１２の収容部１２１の前端面１２１ａよりも前側でキャビネット１２の収容部１２１を閉鎖している状態の扉１２２の前面１２２ａよりも後側に配置されている。
【００１６】
芯材４は、長手方向（幅方向）の寸法が天板３の長手方向の寸法と略同じ寸法に形成され、短手方向（前後方向）の寸法が天板３の前後方向の寸法よりもやや短く形成されている。
天板３と芯材４とは、それぞれの幅方向の両端部および後端部が上下方向に重なり、天板３の前端部分が芯材４よりも前側に突出するように固定されている。
天板３のうち、芯材４よりも前側に突出する前端部分を突出部３１とする。
【００１７】
桟材５は、アルミニウムなどで形成され、幅方向に延びている。桟材５は、幅方向に直交する断面形状が桟材５が延びる方向（幅方向）全体にわたって略同じ形状となっている。
桟材５は、芯材４の前側および下側に配置される基部５１と、基部５１の上部側から前側に延びる延出部５２と、延出部５２の前端部（先端部）５２ａから下側に突出する水返し部５３と、を有している。基部５１、延出部５２および水返し部５３は、例えば、押出し成形などによって一体に形成されている。
【００１８】
基部５１は、延在方向に直交する断面における断面形状が、略Ｌ字形となるように形成されている。このＬ字形は、長方形からこの長方形の上部側における後側の部分を切り欠いてできるＬ字形となっている。この切り欠かれた部分を切欠き部５１１とすると、切欠き部５１１は、上側を向く上向き面（当接部）５１２と、後側を向く後向き面５１３とが連続して形成されている。
【００１９】
延出部５２は、後側から前側に向かって細くなる先細りの形状に形成されていて、上面５２ｂが略水平面となり、下面５２ｃが後側から前側に向かって漸次上側に向かう傾斜面となっている。延出部５２の上面５２ｂと基部５１の上面５１ａとは、略面一に形成されている。延出部５２の下面５２ｃと基部５１の前面５１ｂとは、連続している。
【００２０】
水返し部５３は、延出部５２の前端部５２ａから下側に突出して幅方向に延びる突条で、延出部５２の幅方向全体にわたって形成されている。水返し部５３の後側には、水返し部５３と延出部５２の下面とに囲まれた幅方向に延びる溝部５４が形成されている。
【００２１】
桟材５は、基部５１の上向き面５１２が芯材４の下面４ｂと当接して接着され、基部５１の後向き面５１３が芯材４の前端面４ａと当接して接着され、基部５１の上面５１ａおよび延出部５２の上面５２ｂが天板３の突出部３１の下面３１ａと当接して接着されている。なお、基部５１の切欠き部５１１よりも下側の部分の後面５１ｃは、キャビネット１２の収容部１２１と隙間をあけて対向している。
【００２２】
桟材５の上向き面５１２と後向き面５１３とがなす角部には、芯材４の前端面４ａと下面とがなす角部が配置されている。また、桟材５の基部５１の上面５１ａと後向き面５１３とがなす角部は、天板３の突出部３１の下面３１ａと芯材４の前端面４ａとがなす角部に配置されている。
【００２３】
延出部５２の前端部５２ａ（桟材５の前端部）は、天板３の突出部３１の前端部３１ｂまで延びている。なお、突出部３１の前端部３１ｂとは、突出部３１の最前端３１ｃを含む前端近傍を示している。このため、延出部５２の前端部５２ａが突出部３１の最前端３１ｃよりもやや後側に配置されている場合も、延出部５２の前端部５２ａが天板３の突出部３１の前端部３１ｂまで延びていることになる。
基部５１の下端部５１ｄ（桟材５の下端部）は、芯材４の下面４ｂよりも下側で、キャビネット１２の扉１２２の上端面１２２ｂよりもやや上側に配置されている。
【００２４】
次に、上述した第１実施形態による天板構造１の作用・効果について図面を用いて説明する。
上述した第１実施形態による天板構造１では、桟材５が天板３の突出部３１の前端部３１ｂまで延びることにより、桟材５が天板３の突出部３１全体を下側から確実に支持することができる。また、桟材５が芯材４よりも下側に延びていることにより、桟材５を芯材４に対して確実に取り付けることができる。これにより、桟材５が天板３の突出部３１から受けた荷重を芯材４に伝達することができるため、天板３の突出部３１も桟材５を介して芯材４が確実に支持することができる。
また、桟材５は、天板３突出部３１の前端部３１ｂまで延びることにより、天板３の突出部３１の下面３１ａを隠すことができる。また、桟材５は、芯材４よりも下側に延びていることにより、芯材４を確実に隠すことができる。このように桟材５が芯材４および天板３の突出部３１の下面３１ａの露出を防止するため、意匠性を向上させることができる。
【００２５】
また、桟材５は、芯材４に前側から当接して接着される後向き面５１３、および芯材４に下側から当接して接着される上向き面５１２を有していることにより、桟材５と芯材４とを確実に固定することができ、桟材５が受けた天板３の荷重を確実に芯材４に伝達することができる。また、桟材５が芯材４と芯材４の下側に設けられた部材との境界部を塞ぐことができるため、意匠性を向上させることができる。
【００２６】
また、桟材５は、水返し部５３を有していることにより、桟材５に水滴が付いた場合に、その水滴が水返し部５３に付着または水返し部５３から下側に落下するため、桟材５よりも内側に水滴が浸入することを防止できる。
【００２７】
（第２実施形態）
次に、他の実施形態について、添付図面に基づいて説明するが、上述の第１実施形態と同一又は同様な部材、部分には同一の符号を用いて説明を省略し、実施形態と異なる構成について説明する。
【００２８】
図３に示すように、第２実施形態による天板構造１Ｂは、天板部２Ｂの芯材４Ｂの前端面４ａがキャビネット１２の収容部１２１の前端面１２１ａと略面一に形成されていて、桟材５Ｂの形状が第１実施形態と異なっている。
桟材５Ｂは、芯材４Ｂの前側に配置される基部５１Ｂと、基部５１Ｂの上部側から前側に延びる延出部５２Ｂと、を有している。
基部５１Ｂは、延在方向に直交する断面における断面形状が、略長方形に形成されている。上端面および下端面が略水平面となり、前端面および後端面が略鉛直面となる向きに配置される。
【００２９】
延出部５２Ｂは、後側から前側に向かって細くなる先細りの形状に形成されていて、上面が略水平面となり、下面が後側から前側に向かって漸次上側に向かう傾斜面となっている。延出部５２Ｂの上面５２ｂと、基部５１Ｂの上面５１ａとは、略面一となるように形成されている。
なお、本実施形態の桟材５Ｂには、第１実施形態のような水返し部５３（図２参照）が設けられていないが、延出部５２の前端部５２ａから下側に突出する水返し部が設けられていてもよい。
【００３０】
桟材５Ｂは、基部５１Ｂの後面５１ｃの上部側が芯材４Ｂの前端面４ａと当接して接着され、基部５１Ｂの上面および延出部５２Ｂの上面が天板３Ｂの突出部３１Ｂの下面３１ａと当接して接着されている。なお、基部５１Ｂの後面５１ｃのうちの芯材４よりも下側の部分は、キャビネット１２の収容部１２１と隙間をあけて対向している。
桟材５Ｂの基部５１の上面５１ａと後面５１ｃとがなす角部は、天板３Ｂの突出部３１Ｂの下面３１ａと芯材４Ｂの前端面４ａとがなす角部に配置されている。
【００３１】
第２実施形態においても、延出部５２Ｂの前端部５２ａは、天板３Ｂの突出部３１の前端部３１ｂに達している。基部５１Ｂの下端部５１ｄは、芯材４の下面４ｂよりも下側で、キャビネット１２の扉１２２の上端面１２２ｂよりもやや上側に配置されている。
【００３２】
上述した第２実施形態による天板構造１Ｂでは、桟材５Ｂが天板３Ｂの突出部３１Ｂの前端部３１ｂまで延びて、桟材５Ｂが芯材４Ｂよりも下側に延びていることにより、第１実施形態と同様の効果を奏することができる。
また、第２実施形態では、第１実施形態と比べて桟材５Ｂに切欠き部５１１（図２参照）などの凹凸がないため、桟材５Ｂを容易に製造することができる。
【００３３】
（第３実施形態）
図４に示すように、第３実施形態による天板構造１Ｃは、芯材４Ｃの前端部分４１がキャビネット１２の収容部１２１の前端面１２１ａよりも前側に突出している。この芯材４Ｃの前端部分４１は、下部側が切り欠かれていて、芯材４Ｃにおける前端部分４１よりも後側の部分４２（以下、後側部４２とする）よりも厚さが薄く形成されている。天板３Ｃの突出部３１Ｃは、芯材４Ｃの前端部分４１よりも前側に突出している。
第３実施形態では、桟材５Ｃの形状が上記の実施形態と異なっている。
【００３４】
桟材５Ｃは、芯材４Ｃの前端部分４１の下側に配置される下側部５５と、下側部５５と連続し芯材４Ｃの前側で天板３の突出部３１の下側に配置される前側部５６と、を有している。
下側部５５は、幅方向に直交する断面における断面形状が、略Ｌ字形となるように形成されている。このＬ字形は、長方形からこの長方形の下部側における前側の部分を切り欠いてできるＬ字形となっている。下側部５５のうちの後側に配置され上下方向に延びる部分を第１片５５１とし、前側に配置され第１片５５１の上部側から前側に延びる部分を第２片５５２とする。
【００３５】
前側部５６は、下側部５５の前側に連続して形成されている。前側部５６の下面５６ａは、下側部５５の第２片５５２の下面５５２ａと連続している、前側部５６は、下側部５５の第２片５５２よりも上側に延びていて、第２片５５２よりも上側の部分には後側を向く後向き面５６１が形成されている。前側部５６は、天板３Ｃの突出部３１Ｃの前端部３１ｂまで延びている。
なお、本実施形態の桟材５には、第１実施形態のような水返し部５３（図２参照）が設けられていないが、前側部５６の下面５６ａから下側に突出する水返し部が設けられていてもよい。
【００３６】
桟材５Ｃは、下側部５５の第１片５５１の後端面５５１ａにおける上部側が芯材４Ｃの後側部４２の前端面４２ａと当接して接着され、下側部５５の第２片５５２の上端面５２２ｂが芯材４の前端部分４１の下面４１ａと当接して接着されている。また、桟材５Ｃは、前側部５６の後向き面５６１が芯材４の前端部分４１の前端面４１ｂと当接して接着され、前側部５６の上面５６ｃが天板３の突出部３１の下面３１ａと当接して接着されている。
なお、下側部５５の第１片５５１の後端面５５１ａにおける下部側は、キャビネット１２の収容部１２１の前端面１２１ａと隙間をあけて対向している。
【００３７】
桟材５Ｃの第２片５５２の上端面と第１片５５１の後端面５５１ａとがなす角部は、芯材４Ｃの後側部４２の前端面４２ａと芯材４の前端部分４１の下面４１ａとがなす角部に配置されている。桟材５の前側部５６の後端面５６ｂと下側部５５の上面とがなす角部には、芯材４Ｃの前端部分４１の前側かつ下側の角部が配置されている。桟材５の前側部５６の後端面５６ｂと前側部５６の上面５６ｃとがなす角部は、天板３Ｃの突出部３１の下面３１ａと芯材４の前端部分４１の前端面４１ｂとがなす角部に配置されている。
桟材５Ｃの下側部５５の下端部は、芯材４の下面４ｂよりも下側で、キャビネット１２の扉１２２の上端面１２２ｂよりもやや上側に配置されている。
【００３８】
上述した第３実施形態による天板構造１Ｃでは、桟材５Ｃが天板３Ｃの突出部３１Ｃの前端部３１ｂまで延びて、桟材５Ｃが芯材４Ｃよりも下側に延びていることにより、第１実施形態と同様の効果を奏することができる。また、芯材４Ｃの前端部分４１が後側部４２より薄く形成されているため、芯材４Ｃの前端部分４１に取り付けられる桟材５Ｃの前端部分の厚さ寸法を薄くすることができ、意匠性を向上させることができる。
【００３９】
以上、本発明による天板構造の実施形態について説明したが、本発明は上記の実施形態に限定されるものではなく、その趣旨を逸脱しない範囲で適宜変更可能である。
例えば、上記の実施形態では、キッチン台１１の天板構造１Ａ〜１Ｃであるが、洗面台や、机やカウンターなどの天板構造に本発明の天板構造１Ａ〜１Ｃを用いてもよい。
また、上記の実施形態では、キッチン台１１の幅方向の端部に壁部が設けられていると想定されている。これに対し、図５および図６に示す天板構造１Ｄ，１Ｅのように、キッチン台１１の幅方向の端部に側板６が設けられていてもよい。図５に示す天板構造１Ｄのように、天板３が芯材４よりも幅方向の外側に突出していて、天板３の芯材４よりも幅方向の外側に突出した部分のすぐ下側に側板６が設けられていてもよい。また、図６に示す天板構造１Ｅのように、天板３が芯材４よりも幅方向の外側に突出していて、天板３の芯材４よりも幅方向の外側に突出した部分のすぐ下側に桟材５が設けられ、桟材５の下側に側板６が設けられていてもよい。
【００４０】
また、上記の実施形態では、芯材４の上側に天板３が設けられ、芯材４の前側に桟材５が設けられている。これに対して、図７に示す天板構造１Ｆのように、天板３Ｆの前端部分に下側に突出し芯材４Ｆの前側に配置される前垂れ部３３が設けられていて、前垂れ部３３が芯材４の前端面４ａに接着されていてもよい。そして、芯材４Ｆは、キャビネット１２の収容部１２１よりも前側に突出するとともに、前垂れ部３３の下端部３３ａと芯材４の下面とが略同じ高さに配置されていて、前垂れ部３３および芯材４Ｆの下側に桟材５Ｆが設けられていてもよい。
桟材５Ｆは、芯材４Ｆの下側に設けられる基部５１Ｆと、基部５１Ｆの上部側から前側に突出する延出部５２Ｆを有していて、延出部５２Ｆが天板３Ｆの前垂れ部３３の前端部３３ｂまで延びている。延出部５２Ｆの前端部５２ａには、下側に突出する水返し部５３Ｆが設けられていてもよい。
【符号の説明】
【００４１】
１Ａ〜１Ｆ  天板構造
２，２Ｂ，２Ｃ，２Ｆ  天板部
３，３Ｂ，３Ｃ，３Ｆ  天板
４，４Ｂ，４Ｃ，４Ｆ  芯材
４ａ  前端面（端面）
５，５Ｂ，５Ｃ，５Ｆ  桟材
３１  突出部
３１ｂ  前端部（先端部）
５３  水返し部
５１２  上向き面（当接部）
【図１】
2018171281.tif 000003
【図２】
2018171281.tif 000004
【図３】
2018171281.tif 000005
【図４】
2018171281.tif 000006
【図５】
2018171281.tif 000007
【図６】
2018171281.tif 000008
【図７】
2018171281.tif 000009